(57)【特許請求の範囲】
【請求項１】
デジタルカメラのレンズ鏡筒前面にとりつけられるデジタルカメラのフィルター枠において、フィルターレンズ３が嵌着されるレンズ嵌着部５が形成された内側内径部８を有するフィルター外周枠２と、該フィルター外周枠２に内蔵されるフィルターレンズ３とを有し、前記内側内径部８における前記レンズ嵌着部５より入射光側７の位置に内側に突出して形成され、入射光側７からカメラレンズ側１０に向かうにつれて光軸である中心軸１３に向かって狭まる二段形状または三段以上の複数段形状の階段１４ａ、１４ｂ、１４ｃ・・・が形成されたレンズ押さえ縁６と、前記内側内径部８における前記レンズ嵌着部５よりカメラレンズ側１０の位置に設けられたフィルターレンズ押さえバネ４との間で前記フィルターレンズ３を挟持し固定しているか、または、前記内側内径部８における前記レンズ嵌着部５よりカメラレンズ側１０の位置に内側に突出して形成された縁部１８と、前記内側内径部８における前記レンズ嵌着部５より入射光側７の位置に配置され、入射光側７からカメラレンズ側１０に向かうにつれて光軸である中心軸１３に向かって狭まる二段形状または三段以上の複数段形状の階段１４ａ、１４ｂ、１４ｃ・・・が形成された前記フィルター外周枠２とは別体のフィルターレンズ押さえ縁リング１６との間で前記フィルターレンズ３を挟持し固着していることを特徴とするデジタルカメラのフィルター枠。
【請求項２】
前記フィルターレンズ押さえ縁リング１６は前記内側内径部８における該フィルターレンズ押さえ縁リング１６より入射光側７の位置に設けられる雌ネジリング１７により前記フィルター外周枠２内に前記フィルターレンズ３を挟持して嵌着したことを特徴とする請求項１に記載されたデジタルカメラのフィルター枠。
【請求項３】
前記レンズ押さえ縁６や前記フィルターレンズ押さえ縁リング１６の階段１４ａ、１４ｂ、１４ｃ・・・はその踏面部１９ａ、１９ｂで段鼻より上下に４５度以内の傾斜を持たせた形状としたことを特徴とする請求項１または請求項２に記載されたデジタルカメラのフィルター枠。
【請求項４】
前記レンズ押さえ縁６や前記フィルターレンズ押さえ縁リング１６の階段１４ａ、１４ｂ、１４ｃ・・・はその蹴上げ部２０ａ、２０ｂで段鼻より４５度以内の傾斜や４５度以内のそりを持たせた形状としたことを特徴とする請求項１または請求項２に記載されたデジタルカメラのフィルター枠。
【請求項５】
前記レンズ押さえ縁６や前記フィルターレンズ押さえ縁リング１６の階段１４ａ、１４ｂ、１４ｃ・・・はそれぞれの踏面部１９ａ、１９ｂと蹴上げ部２０ａ、２０ｂで段鼻より任意の傾斜を有していることを特徴とする請求項１または請求項２に記載されたデジタルカメラのフィルター枠。
【発明の詳細な説明】
【技術分野】
【０００１】
本発明は、デジタル１眼レフカメラに対応できるフィルター枠の構造に関するものであり、特に、本発明は、レンズ保護用のフィルター、円偏光フィルター、光量調整フィルターや、特殊効果をもたらす光条効果用フィルター、並びに被写体を柔らかく表現できるソフトフォーカス用フィルター等の各種フィルターの枠に使用でき、夫々のフィルターを介して撮影された映像にモアレや偽解像、そして疑色が生じないデジタルカメラのフィルター枠を提供するものである。
【背景技術】
【０００２】
最近、デジタル１眼レフカメラ用のフィルターにおいては、レンズ保護用のフィルター、円偏光フィルター、光量調整フィルターと、特殊効果をもたらす光条効果用フィルター、被写体を柔らかく表現できるソフトフォーカス用フィルター等、利用価値の大きなデジタルカメラ用のフィルターが提供されてきている。
【０００３】
斯くして、上述した各種フィルターを保持するためのフィルター枠は、従来、各種のフィルターをデジタルカメラのレンズ鏡筒前面に嵌着できる機能と、各種フィルターをフィルター枠内に保持できる機能を有していれば充分とされてきた。
【０００４】
然しながら、デジタルカメラの撮像素子に使用されるCCDイメージセンサ等の感度は、驚異的なスピードでその感度が向上してきており、デジタルカメラのレンズ鏡筒前面に嵌着する各種のフィルターは、フィルター枠の入射光側において、入射光がフィルター枠の内側内径部で全反射して、デジタルカメラのCCDイメージセンサに達してしまうことにより、撮影された画像にモアレや偽解像や疑色が生じてしてしまうという欠点が発生するようになってきた。
【０００５】
そして、最近よく指摘されるようになった、撮影された画像にモアレや偽解像、そして疑色が生じてしまう等の欠点対策には、デジタルカメラにおける各種フィルターを保持するフィルター枠をできる限り薄く製作する等の対策が取られているが、この方法では、所謂、ケラレを取り除く点では一定の効果があるものの、撮影された画像にモアレや偽解像、そして疑色が生じてしまう欠点の対策においては、あまり有効な解決方法を提供するものではなく、この欠点を完全に解決するまでには至っていない。
【０００６】
図６（A）、（B）、（C）は、従来のデジタルカメラ用フィルター枠を説明するものであり、図６（A）はフィルターの組み立て図を示し、図６（B）は図（A）の組み立て完了状態を説明する一部断面図で、図６（C）は図６（B）のフィルター枠の外周部を説明する要部拡大図である。
【０００７】
従来のフィルター枠を説明する図６（A）、（B）、（C）において、５０はフィルター枠、５１はフィルター枠５０が形成するフィルター外周枠、５２はフィルターレンズ、５３はフィルターレンズ押さえバネ、５４はレンズ嵌着部、５５はレンズ押さえ縁部であり、前記フィルター外周枠５１の入射光側５６の内側内径部５７には、他のアタッチメントを螺着するための雌ネジ５８が螺設されており、また、フィルター外周枠５１のカメラレンズ側５９には、カメラレンズ鏡筒前面（図示せず）にフィルター外周枠５１を螺着するための雄ネジ６０が螺設されていて雄ネジ外筒部６１を形成している。
【０００８】
従来例のフィルター枠５０は、図６（Ａ）の如くフィルター外周枠５１とフィルターレンズ５２、並びにフィルターレンズ押さえバネ５３の部品から構成されており、前記フィルター外周枠５１内のレンズ押さえ縁部５５の内側にフィルターレンズ５２を嵌合して、該フィルターレンズを押さえバネ５３にて固着することによりフィルター枠５０を図６（Ｂ）の如く製作している。
【０００９】
而して、図６（Ｂ）の如く組み立て製作されたフィルター枠５０は、該フィルター外周枠５１を拡大した図６（Ｃ）に示したように、デジタルカメラの撮影素子に到達することが予定されているＬ６２のような有効光線の他に、フィルター枠５０に斜めに入射してくるＬ６３のような有害光線もあり、該Ｌ６３のような有害光線は前記レンズ押さえ縁部５５の廻り縁６４等に或る入射角をもって入射してくるものもあり、該入射角が約４０度以上になると廻り縁６４の面で全反射してしまいその有害光線Ｌ６３はデジタルカメラの撮像素子に到達してしまうので撮影された映像にモアレや偽解像、そして疑色が発生して画質が大きく低下してしまうという問題点があった。
【００１０】
尚、前記フィルター外周枠５１の入射光側５６の内側内径部５７には、他のアタッチメントをフィルター枠前面に螺着するための雌ネジ５８が螺設されており、該雌ネジ５８の断面形状はネジ山が鋸歯形状を有しており当該部分に入射した光は、この面で反射しても全反射することはなくデジタルカメラの撮像素子に到達する反射光は極めて少ない。
【発明の概要】
【発明が解決しようとする課題】
【００１１】
而して、本発明が解決しようとする課題は、デジタルカメラ用のフィルター枠においてフィルターに斜めに入射してくる光線を、例えばレンズ押さえ縁部の廻り縁部分で全反射させないような構成とすることにより、デジタルカメラの撮像素子に有害光線が到達しないようになし、映像にモアレや偽解像、そして疑色が発生して画質が大きく低下してしまうという問題点を解消するものである。
【課題を解決するための手段】
【００１２】
本発明は、フィルター外周枠とフィルターレンズ、並びにフィルターレンズ押さえバネからなる部品を組立てデジタルカメラ用のフィルターを製作するにあたり、前記フィルター外周枠に設けられるフィルターレンズの押さえ縁部の形状は中心軸に向かって狭まる二段の階段状フィルター押さえ縁を形成し、該二段の階段状フィルター押さえ縁が遮光リングを構成している。そして二段の階段状遮光リング部分においてフィルターに斜めに入射してくる光線を全反射させない機構とすることにより、デジタルカメラの撮像素子に有害光線が到達しないように工夫しており、映像にモアレや偽解像、そして疑色が発生するのを防止するものである。
【００１３】
また、本発明は、フィルター外周枠とフィルターレンズ並びにフィルターレンズ押さえバネからなる部品を組立てフィルターを製作するにあたり、前記フィルター外周枠に設けられるフィルターレンズの押さえ縁部の形状は中心軸に向かって狭まる複数段の階段状フィルター押さえ縁を形成し、該複数段の階段状フィルター押さえ縁が遮光リングを構成している。そして、複数段階段状遮光リング部分においてフィルターに斜めに入射してくる光線を全反射させない機構とすることにより、デジタルカメラの撮像素子に有害光線が到達しないように工夫しており映像にモアレや偽解像、そして疑色が発生するのを防止するものである。
【００１４】
そして、本発明は、実施例として、フィルター外周枠とフィルターレンズ、並び複数段の階段状フィルター押さえ縁を組立てフィルターを製作するにあたり、前記フィルター外周枠に設けられるフィルターレンズの押さえ縁部の形状は中心軸に向かって狭まる複数段の階段状フィルター押さえ縁リングを形成し、該複数段の階段状フィルター押さえ縁が遮光リングを構成している。そして、複数階段状のフィルター押さえ縁遮光リングはフィルター外周枠の前面内径部に設けられる雌ネジリングによりフィルター外周枠内にフィルターレンズを挟持して固着されるもので、複数段の階段状フィルター押さえ縁からなる遮光リングがフィルター外周枠と独立した部品となるために精密加工が容易で、且つ、デジタルカメラの撮像素子に有害光線が到達することを防止して、映像にモアレや偽解像、そして疑色が発生することをなくしたデジタルカメラのフィルター枠を提供するものである。
【００１５】
斯くして、本発明おいて、フィルターレンズに斜めに入射してくる光線を、階段状遮光リング形状のフィルターレンズの押さえ縁部分で全反射させない構成とは、前記階段状遮光リングを形成するフィルター押さえ縁部、並びにフィルターレンズの押さえ縁の形状を光軸に向って狭まる２段、または複数段の階段状となし、該２段、または複数段の階段形状はその踏面部で段鼻より上下に４５度以内の傾斜を持たせた形状とすることが実施例として選択できる。
【００１６】
また、フィルターレンズに斜めに入射してくる光線を、階段状遮光リング形状のフィルターレンズの押さえ縁部分で全反射させない構成とは、前記フィルター押さえ縁部、並びにフィルターレンズの押さえ縁の形状は光軸に向って狭まる２段、または複数段の階段状となし、該２段、または複数段の階段形状はその蹴上げ部で段鼻より４５度以内の傾斜や、４５度以内のそりを持たせた形状とすることが実施例として選択できる。
【００１７】
更にまた、フィルターレンズに斜めに入射してくる光線を、階段状遮光リング形状のフィルターレンズの押さえ縁部分で全反射させない構成とは、前記フィルター押さえ縁部、並びにフィルターレンズの押さえ縁の形状は光軸に向って狭まる２段、または複数段の階段状となし、該２段、または複数段の階段形状部はそれぞれの踏面部と蹴上げ部で段鼻より任意の傾斜を有している形状とすることが実施例として選択できる。
【発明の効果】
【００１８】
而して、本発明は、デジタルカメラ用のフィルター枠においてフィルターに斜めに入射してくる光線を、階段状遮光リング形状のフィルターレンズの押さえ縁部分で全反射させない構成とすることにより、デジタルカメラの撮像素子に有害光線が到達しないように形成した。そして、本発明は、従来のレンズ押さえ縁の形状を厚さを大きくすることなく可変することが可能で、フィルター枠の厚さを薄く製作できるので、フィルター枠によるケラレを防止できる他、デジタルカメラの映像にモアレや偽解像、そして疑色が発生して画質が大きく低下してしまうという問題点を解消することができた。
【図面の簡単な説明】
【００１９】
【図１】（Ａ）本発明を説明する要部断面図である。（Ｂ）本発明を説明する要部拡大断面図である。
【図２】（A）実施例２を説明する要部断面図である。（B）実施例２を説明する要部断面図である。
【図３】（Ａ）実施例３を説明する要部拡大図である。            （Ｂ）実施例４を説明する要部拡大図である。
【図４】（Ａ）実施例５を説明する要部拡大図である。            （Ｂ）実施例６を説明する要部拡大図である。
【図５】（Ａ）実施例７を説明する要部拡大図である。            （Ｂ）実施例８を説明する要部拡大図である。
【図６】（A）従来例を説明する組み立て図である。        （B）従来例を説明する要部断面図である。        （C）従来例を説明する要部拡大図である。
【発明を実施するための形態】
【００２０】
本発明は、デジタルカメラのレンズ鏡筒全面に螺着等の手段で、レンズ保護用のフィルター、円偏光フィルター、光量調整フィルターや、特殊効果をもたらす光条効果用フィルター、並びに被写体を柔らかく表現できるソフトフォーカス用フィルター等の各種フィルターの枠を装着し、夫々のフィルターの機能を介して撮影された映像にモアレや偽解像、そして疑色が生じないデジタルカメラのフィルター枠を提供するものである。
【００２１】
即ち、本発明は、デジタルカメラ用のフィルター枠においてフィルターに斜めに入射してくる光線を、例えばレンズ押さえ縁部の廻り縁部分で全反射させないような構成とすることにより、デジタルカメラの撮像素子に有害光線が到達しないようになし、映像にモアレや偽解像、そして疑色が発生して画質が大きく低下してしまうという問題点を解消するものである。
【００２２】
本発明の構成は、フィルター外周枠とフィルターレンズ、並びにフィルターレンズ押さえバネからなる部品を組立てデジタルカメラ用のフィルターを製作するにあたり、前記フィルター外周枠に設けられるフィルターレンズの押さえ縁部の形状は中心軸に向かって狭まる二段の階段状フィルター押さえ縁を形成し、該二段の階段状フィルター押さえ縁が遮光リングを構成していることが好ましい。
【００２３】
そして二段の階段状遮光リング部分においてフィルターに斜めに入射してくる光線を全反射させない機構とすることにより、デジタルカメラの撮像素子に有害光線が到達しないように工夫しており、映像にモアレや偽解像、そして疑色が発生するのを防止するものである。
【００２４】
また、本発明の構成は、フィルター外周枠とフィルターレンズ並びにフィルターレンズ押さえバネからなる部品を組立てフィルターを製作するにあたり、前記フィルター外周枠に設けられるフィルターレンズの押さえ縁部の形状は中心軸に向かって狭まる複数段の階段状フィルター押さえ縁を形成し、該複数段の階段状フィルター押さえ縁が遮光リングを構成している形状でも好ましい。
【００２５】
そして、複数段階段状遮光リング部分においてフィルターに斜めに入射してくる光線を全反射させない機構とすることにより、デジタルカメラの撮像素子に有害光線が到達しないように工夫しており映像にモアレや偽解像、そして疑色が発生するのを防止するものである。
【００２６】
更に、本発明は、実施例として、フィルター外周枠とフィルターレンズ、並び複数段の階段状フィルター抑え縁を組立てフィルターを製作するにあたり、前記フィルター外周枠に設けられるフィルターレンズの押さえ縁部の形状は中心軸に向かって狭まる複数段の階段状フィルター押さえ縁を形成し、該複数段の階段状フィルター押さえ縁が遮光リングを構成していることが好ましい。
【００２７】
そして、複数階段状のフィルター押さえ縁遮光リングはフィルター外周枠の前面内径部に設けられる雌ネジリングによりフィルターレンズを挟持してフィルター外周枠内に固着されるもので、複数段の階段状フィルター押さえ縁からなる遮光リングがフィルター外周枠と独立した部品となるために精密加工が容易で、且つ、デジタルカメラの撮像素子に有害光線が到達することを防止して、映像にモアレや偽解像、そして疑色が発生することをなくしたデジタルカメラのフィルター枠を提供するものである。
【００２８】
斯くして、本発明の実施されるフィルター枠のレンズ押さえ縁部は、従来のレンズ押さえ縁の厚さを大きく変更することなく、その形状のみを上述のごとく可変するものであり、フィルター枠の厚さを薄く製作可能である。
【００２９】
従って、本発明は、デジタルカメラ用のフィルター枠においてフィルターに斜めに入射してくる光線を、階段状遮光リング形状のフィルターレンズの押さえ縁部分で全反射させない構成とすることにより、デジタルカメラの撮像素子に有害光線が到達しないように形成した。そして、本発明は、従来のレンズ押さえ縁の形状を厚さを大きくすることなく可変することが可能で、フィルター枠の厚さを薄く製作できるので、フィルター枠によるケラレを防止できる他、デジタルカメラの映像にモアレや偽解像、そして疑色が発生して画質が大きく低下してしまうという問題点を解消することができる。
【００３０】
本発明において、フィルターレンズに斜めに入射してくる光線を、階段状遮光リング形状のフィルターレンズの押さえ縁部分で全反射させない構成とは、前記階段状遮光リングを形成するフィルター押さえ縁部、並びにフィルターレンズの押さえ縁の形状を光軸に向って狭まる２段、または複数段の階段状となし、該２段、または複数段の階段形状はその踏面部で段鼻より上下に４５度以内の傾斜を持たせた形状とすることが好ましい。
【００３１】
また、フィルターレンズに斜めに入射してくる光線を、階段状遮光リング形状のフィルターレンズの押さえ縁部分で全反射させない構成とは、前記フィルター押さえ縁部、並びにフィルターレンズの押さえ縁の形状は光軸に向って狭まる２段、または複数段の階段状となし、該２段、または複数段の階段形状はその蹴上げ部で段鼻より４５度以内の傾斜や、４５度以内のそりを持たせた形状とすることが好ましい。
【００３２】
更にまた、フィルターレンズに斜めに入射してくる光線を、階段状遮光リング形状のフィルターレンズの押さえ縁部分で全反射させない構成とは、前記フィルター押さえ縁部、並びにフィルターレンズの押さえ縁の形状は光軸に向って狭まる２段、または複数段の階段状となし、該２段、または複数段の階段形状部はそれぞれの踏面部と蹴上げ部で段鼻より任意の傾斜を有していることとすることが好ましい。
【００３３】
そして、前記２段、または複数段の階段形状フィルター押さえ縁部、並びにフィルターレンズの押さえ縁の表面仕上は、梨ｊ地やサンドブラスト仕上等表面を荒らした仕上を採用して黒色塗装を施し、入射してくる光線を全反射させない構成とすることが好ましい。
【実施例１】
【００３４】
図１（Ａ）は本発明の実施例１を説明する要部断面図、図１（Ｂ）は本発明の実施例１を説明する要部拡大断面図である。図１（A）、図１（B）において、１はフィルター枠、２はフィルター枠１が形成するフィルター外周枠、３はフィルターレンズ、４はフィルターレンズ押さえバネ、５はレンズ嵌着部、６はレンズ押さえ縁部であり、前記フィルター外周枠２の入射光側７の内側内径部８には、他のアタッチメントを螺着するための雌ネジ９が螺設されており、また、フィルター外周枠２のカメラレンズ側１０には、カメラレンズ鏡筒前面（図示せず）にフィルター外周枠２を螺着するための雄ネジ１１が螺設されていて雄ネジ外筒部１２を形成している。
【００３５】
斯くして、実施例１は、前記フィルター外周枠２に設けられるフィルターレンズ３のレンズ押さえ縁部６の形状を中心軸１３に向かって狭まる二段形状の階段１４ａ、１４ｂを有するフィルターレンズ押さえ縁６として形成し、該二段形状の階段１４ａ、１４ｂを有するレンズ押さえ縁６が遮光リング１５を構成している。
【００３６】
従って、実施例１のデジタルカメラ用のフィルター枠１においてフィルターレンズ３に斜めに入射してくる光線を、例えばレンズ押さえ縁部６の二段形状の階段１４ａ、１４ｂ部分で全反射させても該全反射光はフィルターレンズ３に入光せず、デジタルカメラの撮像素子に有害光線が到達する量を激減できるため、デジタルカメラの映像にモアレや偽解像、そして疑色が発生して画質が大きく低下してしまうという問題点を解消できるものである。
【００３７】
また、実施例１の応用例として、前記フィルターレンズ３の押さえ縁部６の形状を中心軸１３に向かって狭まる複数段形状の階段１４ａ、１４ｂ、１４ｃ・・・（階段に例えておりステップを増やす）を有するレンズ押さえ縁部６に形成し、該複数段形状の階段１４ａ、１４ｂ、１４ｃ・・・を有するレンズ押さえ縁部６を形成し複数段形状の階段を有する遮光リング１５を構成することも可能である。
【００３８】
そして、複数段形状の階段を有する遮光リング１５を構成した場合には階段ステップや高さを小さくすることにより、前記レンズ押さえ縁部６の厚さは、実施例１と同等に抑えられるので、フィルター枠１全体の厚さも薄いものに仕上げることが可能である。
【実施例２】
【００３９】
図２（Ａ）は本発明の実施例２を説明する要部断面図、図２（Ｂ）は本発明の実施例２を説明する要部拡大断面図である。図２（A）、図２（B）において、１はフィルター枠、２はフィルター枠１が形成するフィルター外周枠、３はフィルターレンズ、１６はフィルターレンズ押さえ縁リング、５はレンズ嵌着部であり、前記フィルター外周枠２の入射光側７の内側内径部８には、他のアタッチメントを螺着するための雌ネジリング１７が螺設されており、また、フィルター外周枠２のカメラレンズ側１０には、フィルターレンズ３を固着するための縁部１８が突設され、更にカメラレンズ鏡筒前面（図示せず）にフィルター外周枠２を螺着するための雄ネジ１１が螺設されていて雄ネジ外筒部１２を形成している。
【００４０】
而して、実施例２は、フィルター外周枠２とフィルターレンズ３、並び複数段の階段状フィルター押さえ縁リング１６を組立てフィルターを製作するにあたり、前記フィルター外周枠２に設けられるフィルターレンズ３の押さえ縁部の形状は中心軸１３に向かって狭まる二段、或いは複数段の階段状フィルター押さえ縁リング１６を形成し、該複数段の階段状フィルター押さえ縁リング１６が遮光リング１５を構成しているものである。
【００４１】
そして、複数階段状のフィルター押さえ縁リング１６からなる遮光リング１５はフィルター外周枠２の前面内径部に設けられる雌ネジリング１７によりフィルターレンズ３を挟持してフィルター外周枠２内に固着されるもので、複数段の階段状フィルター押さえ縁リング１６からなる遮光リング１５がフィルター外周枠２と独立した部品となり製作されるために精密加工が容易で、且つ、デジタルカメラの撮像素子に有害光線が到達することを防止して、映像にモアレや偽解像、そして疑色が発生することをなくしたデジタルカメラのフィルター枠１を提供するものである。
【００４２】
尚、実施例２におけるフィルター枠１のフィルターレンズ押さえ縁部リング１６は、従来のレンズ押さえ縁の厚さを大きく変更することなく、その形状のみを上述のごとく可変するものであり、フィルター枠１の厚さを実施例１同様に薄く製作可能である。
【００４３】
斯くして、本発明の実施例１、並びに実施例２は、デジタルカメラ用のフィルター枠においてフィルターに斜めに入射してくる光線を、階段状遮光リング形状のフィルターレンズの押さえ縁部分で全反射させない構成とすることにより、デジタルカメラの撮像素子に有害光線が到達しないように形成したものである。そして、本発明は、従来装置のレンズ押さえ縁の形状を厚さを大きくすることなく達成することが可能で、フィルター枠の厚さを薄く製作できるので、フィルター枠によるケラレを防止できる他、デジタルカメラの映像にモアレや偽解像、そして疑色が発生して画質が大きく低下してしまうという問題点を解消することが可能なデジタルカメラのフィルター枠を提供することができる。
【実施例３】
【００４４】
図３（Ａ）は本発明の実施例３を説明する要部拡大断面図、図３（Ｂ）は同じく実施例３の応用例を示す要部拡大断面図である。図３（A）、図３（B）において、１はフィルター枠、２はフィルター枠１が形成するフィルター外周枠、３はフィルターレンズ、４はフィルターレンズ押さえバネ、５はレンズ嵌着部、６はレンズ押さえ縁部であり、前記フィルター外周枠２の入射光側７の内側内径部８には、他のアタッチメントを螺着するための雌ネジ９が螺設されており、また、フィルター外周枠２のカメラレンズ側１０には、カメラレンズ鏡筒前面（図示せず）にフィルター外周枠２を螺着するための雄ネジ１１が螺設されていて雄ネジ外筒部１２を形成している。
【００４５】
斯くして、実施例３は、前記フィルター外周枠２に設けられるフィルターレンズ３の押さえ縁部６の形状を中心軸１３に向かって狭まる二段形状の階段１４ａ、１４ｂを有するレンズ押さえ縁部６として形成し、該二段形状の階段１４ａ、１４ｂは夫々踏面部１９ａと１９ｂを有しており、該レンズ押さえ縁部６と二段形状の階段１４ａ、１４ｂが遮光リング１５を構成している。
【００４６】
そして、図３（Ａ）に示す実施例３は、二段階段１４ａ、１４ｂの踏面部１９ａ、１９ｂを夫々の段鼻より角度Ｒのみ上方に傾斜させたもので、この角度Ｒは４５度以内が好ましく、その角度Ｒ内であれば、遮光リング１５の製作時において任意に設定でき、遮光リングの役割を充分に果たすことができる。
【００４７】
また、図３（Ｂ）に示す実施例３は、二段階段１４ａ、１４ｂの踏面部１９ａ、１９ｂを夫々の段鼻より角度Ｒのみ下方に傾斜させたもので、この角度Ｒは４５度以内が好ましく、その角度Ｒ内であれば、遮光リング１５の製作時において任意に設定でき、遮光リングの役割を充分に果たすことができる。
【００４８】
而して、実施例３は、踏面部１９ａ、１９ｂを含む前記２段、または複数段の階段形状フィルター押さえ縁部６、並びにフィルターレンズの押さえ縁リング１６の表面仕上は、梨ｊ地やサンドブラスト仕上等表面を荒らした仕上を採用して黒色塗装を施し、入射してくる光線を全反射させない構成とすることができた。
【実施例４】
【００４９】
図４（Ａ）は本発明の実施例４を説明する要部拡大断面図、図４（Ｂ）は同じく実施例４の応用例を示す要部拡大断面図である。図４（A）、図４（B）において、１はフィルター枠、２はフィルター枠１が形成するフィルター外周枠、３はフィルターレンズ、４はフィルターレンズ押さえバネ、５はレンズ嵌着部、６はレンズ押さえ縁部であり、前記フィルター外周枠２の入射光側７の内側内径部８には、他のアタッチメントを螺着するための雌ネジ９が螺設されており、また、フィルター外周枠２のカメラレンズ側１０には、カメラレンズ鏡筒前面（図示せず）にフィルター外周枠２を螺着するための雄ネジ１１が螺設されていて雄ネジ外筒部１２を形成している。
【００５０】
斯くして、実施例４は、前記フィルター外周枠２に設けられるフィルターレンズ３の押さえ縁部６の形状を中心軸１３に向かって狭まる二段形状の階段１４ａ、１４ｂを有するフィルターレンズ押さえ縁６として形成し、該二段形状の階段１４ａ、１４ｂは夫々蹴上げ部２０ａと２０ｂを有しており、該フィルター押さえ縁部６と階段１４ａ、１４ｂが遮光リング１５を構成している。
【００５１】
そして、図４（Ａ）に示す実施例４は、二段階段１４ａ、１４ｂの蹴上げ部２０ａ、２０ｂを夫々の段鼻より角度Ｒ以内に傾斜させたもので、この角度Ｒは４５度以内が好ましく、その角度Ｒ内であれば、遮光リング１５の製作時において任意に設定でき、遮光リングの役割を充分に果たすことができる。
【００５２】
また、図４（Ｂ）に示す実施例４は、二段階段１４ａ、１４ｂの蹴上げ部２０ａ、２０ｂを夫々の段鼻より角度Ｒ以内にそりを持たせたもので、この角度Ｒは４５度以内が好ましく、その角度Ｒ内であれば、遮光リング１５の製作時において任意に設定でき、遮光リングの役割を充分に果たすことができる。
【００５３】
而して、実施例４は、蹴上げ部２０ａ、２０ｂを含む前記二段、または複数段の階段形状フィルター押さえ縁部６、並びにフィルターレンズの押さえ縁リング１６の表面仕上は、梨ｊ地やサンドブラスト仕上等表面を荒らした仕上を採用して黒色塗装を施し、入射してくる光線を全反射させない構成とすることができた。
【実施例５】
【００５４】
図５（Ａ）は本発明の実施例５を説明する要部拡大断面図、図５（Ｂ）は同じく実施例５の応用例を示す要部拡大断面図である。図５（A）、図５（B）において、１はフィルター枠、２はフィルター枠１が形成するフィルター外周枠、３はフィルターレンズ、４はフィルターレンズ押さえバネ、５はレンズ嵌着部、６はレンズ押さえ縁部であり、前記フィルター外周枠２の入射光側７の内側内径部８には、他のアタッチメントを螺着するための雌ネジ９が螺設されており、また、フィルター外周枠２のカメラレンズ側１０には、カメラレンズ鏡筒前面（図示せず）にフィルター外周枠２を螺着するための雄ネジ１１が螺設されていて雄ネジ外筒部１２を形成している。
【００５５】
斯くして、実施例５は、前記フィルター外周枠２に設けられるフィルターレンズ３の押さえ縁部６の形状を中心軸１３に向かって狭まる二段形状の階段１４ａ、１４ｂを有するフィルターレンズ押さえ縁６として形成し、該二段形状の階段１４ａ、１４ｂは夫々踏面部１９ａ、１９ｂと蹴上げ部２０ａ、２０ｂを有しており、該フィルター押さえ縁部６と階段１４ａ、１４ｂが遮光リング１５を構成している。
【００５６】
そして、図５（Ａ）に示す実施例５は、二段階段１４ａ、１４ｂの踏面部１９ａ、１９ｂを夫々の段鼻より上方に傾斜させたものと、蹴上げ部２０ａ、２０ｂを夫々の段鼻よりそりをもたせた形状の組み合わせで、前記夫々の傾斜角度は４５度以内が好ましく、その角度内であれば、遮光リング１５の製作時において任意に設定でき、遮光リングの役割を充分に果たすことができる。
【００５７】
また、図５（Ｂ）に示す実施例５は、二段階段１４ａ、１４ｂの踏面部１９ａ、１９ｂを夫々の段鼻より下方に傾斜させたものと、蹴上げ部２０ａ、２０ｂを夫々の段鼻よりそりをもたせた形状の組み合わせで、前記夫々の傾斜及びそりの角度は４５度以内が好ましく、その角度内であれば、遮光リング１５の製作時において任意に設定でき、遮光リングの役割を充分に果たすことができる。
【００５８】
而して、実施例５おいて、踏面部１９ａ、１９ｂと蹴上げ部２０ａ、２０ｂを含む二段、または複数段の階段形状フィルター押さえ縁部６、並びにフィルターレンズの押さえ縁リング１６の表面仕上は、梨ｊ地やサンドブラスト仕上等表面を荒らした仕上を採用して黒色塗装を施し、入射してくる光線を全反射させない構成とすることができ、本発明は、デジタルカメラ用のフィルター枠においてフィルターに斜めに入射してくる光線を、階段状遮光リング形状のフィルターレンズの押さえ縁部分で全反射させない構成とすることにより、デジタルカメラの撮像素子に有害光線が到達しないように形成した。
【００５９】
そして、本発明は、従来のレンズ押さえ縁の形状を厚さを大きくすることなく可変することが可能で、フィルター枠の厚さを薄く製作できるので、フィルター枠によるケラレを防止できる他、デジタルカメラの映像にモアレや偽解像、そして疑色が発生して画質が大きく低下してしまうという問題点を解消することができた。
【符号の説明】
【００６０】
１  フィルター枠
２  フィルター外周枠
３  フィルターレンズ
４  フィルターレンズ押さえバネ
５  レンズ嵌着部
６  レンズ押さえ縁部
７  入射光側
８  内側内径部
９  雌ネジ
１０  カメラレンズ側
１１  雄ネジ
１２  雄ネジ外筒部
１３  中心軸
１４ａ、１４ｂ、１４ｃ・・・  ２段形状の階段  複数段形状の階段
１５  遮光リング
１６  フィルターレンズ押さえ縁リング
１７  雌ネジリング
１８  縁部
１９ａ、１９ｂ  踏面部
２０ａ、２０ｂ  蹴上げ部
【図１】
0005777960.tif 000002
【図２】
0005777960.tif 000003
【図３】
0005777960.tif 000004
【図４】
0005777960.tif 000005
【図５】
0005777960.tif 000006
【図６】
0005777960.tif 000007